(57)【要約】【課題】使用に際し絶縁性能が低下することなく、積層枚数が少ない構成のフレキシブル導体を有するスイッチギヤを提供することを目的とする。【解決手段】第一の絶縁操作ロッド１２により閉及び接地位置に切り換え可能な接地断路部６と、前記接地断路部６と電気的に接続され、内部が真空の真空容器内で電流の投入及び遮断を行う真空バルブ１と、前記真空バルブ１を駆動する第二の操作ロッド１１と、前記接地断路部６と前記真空バルブ１とが固体絶縁物１６で一体に覆われているスイッチギヤにおいて、前記真空バルブ１と前記接地断路部６を電気的に接続するフレキシブル導体９を備え、前記フレキシブル導体９は、中央部を幅方向の両端において導体２４でかしめていることを特徴とする。【選択図】  図１
2017033887.tif 000002
【特許請求の範囲】
【請求項１】
第一の可動電極を移動させて電気的な接続関係を開閉する第一の開閉部と、
第二の可動電極を移動させて電気的な接続関係を開閉する第二の開閉部と、
前記第一の開閉部と前記第二の開閉部とを電気的に接続するフレキシブル導体を備え、前記フレキシブル導体は、中央部を幅方向の両端において導体でかしめていることを特徴とする開閉装置。
【請求項２】
第一の絶縁操作ロッドにより閉及び接地位置に切り換え可能な接地断路部と、前記接地断路部と電気的に接続され、内部が真空の真空容器内で電流の投入及び遮断を行う真空バルブと、前記真空バルブを駆動する第二の操作ロッドと、前記接地断路部と前記真空バルブとが固体絶縁物で一体に覆われているスイッチギヤにおいて、
前記真空バルブと前記接地断路部を電気的に接続するフレキシブル導体を備え、前記フレキシブル導体は、中央部を幅方向の両端において導体でかしめていることを特徴とするスイッチギヤ。
【請求項３】
請求項１又は２のいずれか一項に記載のスイッチギヤにおいて、前記両端の導体が繋がっていることを特徴とするスイッチギヤ。
【請求項４】
第一の絶縁操作ロッドにより閉及び接地位置に切り換え可能な接地断路部と、前記接地断路部と電気的に接続され、内部が真空の真空容器内で電流の投入及び遮断を行う真空バルブと、前記真空バルブを駆動する第二の操作ロッドと、前記接地断路部と前記真空バルブとが固体絶縁物で一体に覆われているスイッチギヤにおいて、
前記真空バルブと前記接地断路部を電気的に接続するフレキシブル導体を備え、前記フレキシブル導体は、中央部を導電性ゴムで覆われていることを特徴とするスイッチギヤ。
【発明の詳細な説明】
【技術分野】
【０００１】
本発明は、導電接続にフレキシブル導体を有する開閉装置及びスイッチギヤに関するものである。
【背景技術】
【０００２】
スイッチギヤは、スイッチギヤ構成機器と、スイッチギヤ構成機器を絶縁するための絶縁部と、スイッチギヤ構成機器を垂直方向に接合するための接合部を含む複数のコンポーネントを具備し、複数のコンポーネントを垂直方向に接続して構成される。各部端子間の導電接続にはフレキシブル導体が用いられている。従来のフレキシブル導体の例について、特許文献１に記載されている構成を用いて説明する。フレキシブル導体は薄い銅箔を必要枚数重ね合わせ、両端部の銅箔端部を束ねて端子が嵌め込まれた構成となっている。フレキシブル導体の幅方向の側面はエッジとなるため、銅箔の幅を変え、階段状にすることで電界を緩和している。
【先行技術文献】
【特許文献】
【０００３】
【特許文献１】特開２００２−１４２３１７号公報
【発明の概要】
【発明が解決しようとする課題】
【０００４】
上述したフレキシブル導体は階段状にするために、厚みが必要となるため、各部端子間の導電接続部でゆるみが発生する可能性が高くなる。また、大電流通電時にフレキシブル導体が膨らむように変形し、絶縁低下する可能性がある。
【０００５】
本発明は、上述の事柄に基づいてなされたもので、使用に際し絶縁性能が低下することなく、積層枚数が少ない構成のフレキシブル導体を有するスイッチギヤを提供することを目的とする。
【課題を解決するための手段】
【０００６】
本発明は、第一の可動電極を移動させて電気的な接続関係を開閉する第一の開閉部と、第二の可動電極を移動させて電気的な接続関係を開閉する第二の開閉部と、前記第一の開閉部と前記第二の開閉部とを電気的に接続するフレキシブル導体を備え、前記フレキシブル導体は、中央部を幅方向の両端において導体でかしめていることを特徴とする。
【０００７】
また、その他に、第一の絶縁操作ロッドにより閉及び接地位置に切り換え可能な接地断路部と、前記接地断路部と電気的に接続され、内部が真空の真空容器内で電流の投入及び遮断を行う真空バルブと、前記真空バルブを駆動する第二の操作ロッドと、前記接地断路部と前記真空バルブとが固体絶縁物で一体に覆われているスイッチギヤにおいて、前記接地断路部の導体部と前記真空バルブはフレキシブル導体で電気的に接続されており、前記フレキシブル導体の中央部を幅方向の両端において導体でかしめることを特徴とする。
【発明の効果】
【０００８】
本発明によれば、使用に際し絶縁性能が低下することなく、積層枚数が少ない構成のフレキシブル導体を有するスイッチギヤを提供できる。
【図面の簡単な説明】
【０００９】
【図１】実施例１のスイッチギヤの全体構成を示す正面断面図であり、電圧及び電流の投入状態を示す図である。
【図２】イッチギヤの全体構成を示す正面断面図であり、従来構成のフレキシブル導体で、大電流通電時に想定されるフレキシブル導体の変形を示す図である。
【図３】実施例１のフレキシブル導体の構造を示した図である。
【図４】実施例２のフレキシブル導体の構造を示した図である。
【図５】実施例３のフレキシブル導体の構造を示した図である。
【発明を実施するための形態】
【００１０】
以下、本発明を実施する上で好適な実施の例について図面を用いて説明する。尚、下記はあくまでも実施の例に過ぎず、発明の内容は下記態様に限定されるものでないことは言うまでもない。
【実施例１】
【００１１】
実施例１について図１から図３を用いて説明する。
【００１２】
まず、図１は実施例１のスイッチギヤの全体構成を示す正面断面図であり、電圧及び電流の投入状態を示す図である。このスイッチギヤの開閉器ユニットは、接離自在な少なくとも一対の接点を有する真空バルブ１と、大気中に設けられ、直線状に３位置に変化させられる接地断路部に設けられた可動電極２と、可動電極が閉位置において可動電極を介して電気的に通電させられる接地断路部６に設けられたブッシング側コンタクト３と接地断路部６に設けられた中間固定電極４、可動電極２が接地位置において可動電極２を介して接地断路部６に設けられた中間固定電極４と通電させられる接地断路部６に設けられた接地側コンタクト５を備えた接地断路部６と、真空バルブ１の固定側に接続されたケーブル用ブッシング導体７と、接地断路部６のブッシング側コンタクト３に接続された母線用ブッシング導体８と、接地断路部６の中間固定電極４と真空バルブ１の可動電極１０とを接続するフレキシブル導体９と、真空バルブ１の可動側電極１０に機械的に接続された真空バルブ用操作ロッド１１と、接地断路部６の可動側電極２に機械的に接続された接地断路部用操作ロッド１２から構成され、真空バルブ１と母線用ブッシング導体８と接地断路部６のブッシング側コンタクト３の固定台１３と母線用ブッシング１４とケーブル用ブッシング１５を固体絶縁物１６で一体に注型した。これら固体絶縁物で一体化したものを金属容器２８で覆っている。
【００１３】
真空バルブ１は、セラミックス絶縁筒１７、固定側端板１８及び可動側端板１９から構成される真空容器内に、固定側電極２０、可動側電極２１を配備しており、固定側電極２０はケーブル用ブッシング導体７と電気的に接続され、負荷側へ電力を供給できるようになっている。真空バルブ１は可動側端板１９とセラミックス絶縁筒１７に接続されたベローズ２２によって内部の真空を維持しながら可動側電極２１を軸方向に移動可能とすることによって投入遮断状態を切り替えている。また、ベローズ２２と可動側電極２１の接続部近傍には開閉時のアーク等からベローズ２２を保護するために、ベローズシールド２３を設けており、併せてベローズ端部における電界の集中を緩和することもできる。
【００１４】
接地断路部６は、母線用ブッシング導体８を介して母線側に接続されるブッシング用コンタクト３と、接地電位とされている接地側コンタクト５と、それらの中間に位置し、フレキシブル導体９を介して真空バルブ側の可動側電極２１と電気的に接続される中間固定電極４を備えており、フレキシブル導体９の中央部は金属２４でかしめている。内部は気中絶縁もしくはガス絶縁としている。また、これら各固定電極は一直線上に配置され、内径はいずれも等しくしている。中間固定電極４と接地断路部の可動電極２は、ばね接点２５によって電気的に接続される。これらの各固定電極に対して接地断路部の可動電極２が接地断路部６内を移動することで、閉・断路・接地の３位置に切り替えることが可能となる。接地断路部の可動電極２は、図示しない操作機構と接地断路部用操作ロッド１２で連結される。
【００１５】
母線用ブッシング１４は、母線用ブッシング導体８の周囲を固体絶縁物１６で覆うことにより、また、ケーブル用ブッシング１５は、ケーブル用ブッシング導体７の周囲を固体絶縁物１６で覆うことにより構成される。真空バルブ用操作ロッド１１、接地断路器用操作ロッド１２、固体絶縁物１６の材料としては機械的強度と絶縁特性のいずれも良好で成形性のよいエポキシが使われることが多い。
【００１６】
図２に従来構成のフレキシブル導体で、大電流通電時に想定されるフレキシブル導体の変形を示す図である。フレキシブル導体が膨らむ方向に変形することで、電界が集中し、絶縁低下が考えられる。
【００１７】
図３に実施例１のフレキシブル導体の構成を示す。フレキシブル導体の中央部を略Ｃ断面金属２４で幅方向の両側からかしめる。金属は曲率を持っており、この構成にすることで、大電流通電時でも変形が防止でき、銅箔の積層枚数を増やすことなくフレキシブル導体の側面のエッジの電界が緩和できる。図３に示すように下部の曲率を上部の曲率より大きくすることで電界が緩和することができる。これは、放電が発生した際に、フレキシブル導体９の上部側と下部側において下部側の方が放電進展しやすいため、電界緩和の効果が大きいからである。
【００１８】
以上、本実施例によれば、フレキシブル導体の中央部を略Ｃ断面金属２４で幅方向の両側からかしめることで、大電流通電時でも変形が防止でき、銅箔の積層枚数を増やすことなくフレキシブル導体の側面のエッジの電界が緩和できる効果を有する。
【実施例２】
【００１９】
実施例２について図４を用いて説明する。尚、実施例１と重複する箇所については、ここでの説明を省略する。
【００２０】
フレキシブル導体９をかしめる金属が繋がった略Ｕ字形状をした金属２６の構成となっており、動作時の衝撃で金属２６が落下することを防ぐことができる。
【００２１】
以上、本実施例によれば、実施例１の効果に加えて動作時の衝撃で金属が落下することを防ぐことができる効果を有する。
【実施例３】
【００２２】
実施例３について図５を用いて説明する。尚、実施例１と重複する箇所については、ここでの説明を省略する。
【００２３】
フレキシブル導体９の中央部を導電性ゴム２７で覆う構成となっている。フレキシブル導体の中央部が固定されないため、実施例１や実施例２の効果に加えて応力が高くならず、フレキシブル導体９の側面のエッジの電界が緩和できる。
【符号の説明】
【００２４】
１：真空バルブ
２：可動電極
３：ブッシング側コンタクト
４：中間固定電極
５：接地側コンタクト
６：接地断路部
７：ケーブル用ブッシング導体
８：母線用ブッシング導体
９：フレキシブル導体
１０：可動側電極
１１：真空バルブ用操作ロッド
１２：接地断路部用操作ロッド
１３：固定台
１４：母線用ブッシング
１５：ケーブル用ブッシング
１６：固体絶縁物
１７：セラミックス絶縁筒
１８：固定側端板
１９：可動側端板
２０：固定側電極
２１：可動側電極
２２：ベローズ
２３：ベローズシールド
２４：金属
２５：ばね接点
２６：金属
２７：導電性ゴム
２８：金属容器
【図１】
2017033887.tif 000003
【図２】
2017033887.tif 000004
【図３】
2017033887.tif 000005
【図４】
2017033887.tif 000006
【図５】
2017033887.tif 000007